【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
海運貨物の輸送状況を管理するための海運貨物管理システムであって、
海運貨物に対して発行された船荷証券の船荷証券番号を含む船荷証券データと、海運貨物を収容しているコンテナのコンテナ番号を含むコンテナデータとを含む、業務支援データを蓄積する蓄積手段と、
該蓄積手段と専用ネットワークを介してデータ通信を行い、前記蓄積手段から前記業務支援データを取得して、該業務支援データと紐付けて貨物管理データを生成し、管理するための管理手段と、
前記専用ネットワークを介して、前記管理手段に対して前記貨物管理データの管理に係る情報を入出力するための管理端末と、を含み、
前記管理手段は、前記管理端末を利用する管理ユーザの管理ユーザデータと、汎用ネットワークを介して当該海運貨物管理システムを利用する外部ユーザの外部ユーザデータとを含むユーザデータを保持するユーザデータ保持機能部と、前記外部ユーザデータに基づいて、前記汎用ネットワークを介してアクセスしてきた外部端末のアクセス可否を判断すると共に、アクセスを許可した外部端末に対して前記貨物管理データの少なくとも一部を出力するデータ出力機能部と、前記管理端末から入力される、前記業務支援データに含まれていないコンテナの情報を、前記貨物管理データの新規データとして登録する管理データ登録機能部と、を有し、
前記貨物管理データに、前記船荷証券番号と紐付く海運貨物の写真データと、前記コンテナ番号と紐付くコンテナの写真データとが含まれることを特徴とする海運貨物管理システム。
【請求項２】
前記管理手段は、前記外部ユーザの依頼に応じて、新たな外部ユーザの情報を、依頼を行った前記外部ユーザを親とする子ユーザとして、前記外部ユーザデータへ追加し、この親子関係を含めた新規外部ユーザの追加に、任意の親子階層数まで対応する外部ユーザ追加機能部と、
前記外部ユーザデータ内の複数の外部ユーザ間の親子関係に基づいて、前記複数の外部ユーザの各々を複数の階層に分けると共に、前記外部端末へ前記貨物管理データの少なくとも一部を出力する際に、前記外部端末を用いてアクセスしている外部ユーザの前記階層に応じて、出力内容を制限する出力内容制限機能部と、を有することを特徴とする請求項１記載の海運貨物管理システム。
【請求項３】
写真を撮影する写真撮影機能部と、撮影した写真を前記海運貨物の写真データ及び前記コンテナの写真データとして、前記汎用ネットワークを介して前記管理手段へ格納する写真データ格納機能部とを有する、携帯端末を含むことを特徴とする請求項１又は２記載の海運貨物管理システム。
【請求項４】
前記管理手段は、
前記専用ネットワークを介して前記蓄積手段及び前記管理端末と接続され、該管理端末をクライアント側とするサーバ側の機能を提供すると共に、前記蓄積手段から前記業務支援データを取得して、前記貨物管理データを生成及び保持する管理サーバと、
前記専用ネットワークを介して前記管理サーバと接続されると共に、前記汎用ネットワークを介して前記外部端末と接続され、該外部端末のウェブブラウザに対して、前記貨物管理データの一部を出力するための入出力表示を提供するウェブサーバと、を含むことを特徴とする請求項１から３のいずれか１項記載の海運貨物管理システム。
【請求項５】
前記専用ネットワークに接続され、前記海運貨物の写真データ及び前記コンテナの写真データを含むファイルデータを保存するためのファイルサーバと、
前記専用ネットワークに接続され、電子メールを配送するためのメールサーバと、を含み、
前記管理手段は、
前記専用ネットワーク内の、前記管理サーバ及び前記ウェブサーバと、前記蓄積手段及び前記ファイルサーバ及び前記メールサーバとの間に設置され、前記管理サーバ及び前記ウェブサーバからの、前記蓄積手段及び前記ファイルサーバ及び前記メールサーバに対する、前記業務支援データと前記ファイルデータとを含む各データの入出力を、統合して行うための中継サーバを含むことを特徴とする請求項４記載の海運貨物管理システム。
【請求項６】
海運貨物の輸送状況を管理するための海運貨物管理方法であって、
蓄積手段と管理手段と管理端末とを含み、前記蓄積手段と前記管理手段と前記管理端末とが専用ネットワークで接続された海運貨物管理システムを用い、
海運貨物に対して発行された船荷証券の船荷証券番号を含む船荷証券データと、海運貨物を収容しているコンテナのコンテナ番号を含むコンテナデータと、を含む業務支援データを前記蓄積手段へ蓄積し、
前記管理手段により、前記蓄積手段から前記業務支援データを取得して、該業務支援データと紐付けて貨物管理データを生成し、前記管理端末から、前記管理手段に対して前記貨物管理データの管理に係る情報を入出力することで、前記貨物管理データの管理を行い、
前記管理手段により、前記管理端末を利用する管理ユーザの管理ユーザデータと、汎用ネットワークを介して前記海運貨物管理システムを利用する外部ユーザの外部ユーザデータとを含むユーザデータを保持し、前記外部ユーザデータに基づいて、前記汎用ネットワークを介してアクセスしてきた外部端末のアクセス可否を判断すると共に、アクセスを許可した外部端末に対して前記貨物管理データの少なくとも一部を出力し、又、前記管理端末から入力される、前記業務支援データに含まれていないコンテナの情報を、前記貨物管理データの新規データとして登録し、
前記貨物管理データに、前記船荷証券番号と紐付く海運貨物の写真データと、前記コンテナ番号と紐付くコンテナの写真データとを含めることを特徴とする海運貨物管理方法。
【請求項７】
前記管理手段により、前記外部ユーザの依頼に応じて、新たな外部ユーザの情報を、依頼を行った前記外部ユーザを親とする子ユーザとして、前記外部ユーザデータへ追加し、この親子関係を含めた新規外部ユーザの追加に、任意の親子階層数まで対応し、更に、前記外部ユーザデータ内の複数の外部ユーザ間の親子関係に基づいて、前記複数の外部ユーザの各々を複数の階層に分けると共に、前記外部端末へ前記貨物管理データの少なくとも一部を出力する際に、前記外部端末を用いてアクセスしている外部ユーザの前記階層に応じて、出力内容を制限することを特徴とする請求項６記載の海運貨物管理方法。
【請求項８】
前記海運貨物管理システムが携帯端末を含み、
該携帯端末により、コンテナ内に収容された船荷証券に紐付く海運貨物及びコンテナの写真を撮影し、撮影した写真を前記海運貨物の写真データ及び前記コンテナの写真データとして、前記汎用ネットワークを介して前記管理手段へ格納することを特徴とする請求項６又は７記載の海運貨物管理方法。
【請求項９】
前記管理手段が、前記専用ネットワークを介して前記蓄積手段及び前記管理端末と接続された管理サーバと、前記専用ネットワークを介して前記管理サーバと接続されると共に前記汎用ネットワークを介して前記外部端末と接続されたウェブサーバとを含み、
前記管理サーバにより、前記管理端末をクライアント側とするサーバ側の機能を提供すると共に、前記蓄積手段から前記業務支援データを取得して、前記貨物管理データを生成及び保持し、
前記ウェブサーバにより、前記外部端末のウェブブラウザに対して、前記貨物管理データの一部を出力するための入出力表示を提供することを特徴とする請求項６から８のいずれか１項記載の海運貨物管理方法。
【請求項１０】
前記海運貨物管理システムが、前記専用ネットワークに接続され、前記海運貨物の写真データ及び前記コンテナの写真データを含むファイルデータを保存するためのファイルサーバと、前記専用ネットワークに接続され、電子メールを配送するためのメールサーバとを含み、
前記管理手段が、前記専用ネットワーク内の、前記管理サーバ及び前記ウェブサーバと、前記蓄積手段及び前記ファイルサーバ及び前記メールサーバとの間に設置された中継サーバを含み、
前記中継サーバにより、前記管理サーバ及び前記ウェブサーバからの、前記蓄積手段及び前記ファイルサーバ及び前記メールサーバに対する、前記業務支援データと前記ファイルデータとを含む各データの入出力を、統合して行うことを特徴とする請求項９記載の海運貨物管理方法。
【請求項１１】
貨物の輸送状況を管理するための貨物管理システムであって、
貨物を特定するための情報を含む業務支援データを蓄積する蓄積手段と、
該蓄積手段とネットワークを介してデータ通信を行い、前記蓄積手段から前記業務支援データを取得して、該業務支援データと紐付けて貨物の輸送状況の管理を行うために必要な情報が付加された貨物管理データを生成し、管理するための管理手段と、
前記ネットワークを介して、前記管理手段に対して前記貨物管理データの管理に係る情報を入出力するための管理端末と、
写真を撮影する写真撮影機能部と、撮影した写真を前記業務支援データと紐付けて前記貨物の写真データとして前記ネットワークを介して前記管理手段へ格納するための写真データ格納機能部とを有する携帯端末とを含み、
前記貨物管理データには、前記業務支援データと紐付く前記写真データが含まれることを特徴とする貨物管理システム。
【請求項１２】
貨物を特定するための情報を含む業務支援データを蓄積する蓄積手段と、
該蓄積手段とネットワークを介してデータ通信を行い、前記蓄積手段から前記業務支援データを取得して、該業務支援データと紐付けて貨物の輸送状況の管理を行うために必要な情報が付加された貨物管理データを生成し、管理するための管理手段と、
前記ネットワークを介して、前記管理手段に対して前記貨物管理データの管理に係る情報を入出力するための管理端末と、
写真を撮影する写真撮影機能部と、撮影した写真を前記業務支援データと紐付けて前記貨物の写真データとして前記ネットワークを介して前記管理手段へ格納するための写真データ格納機能部とを有する携帯端末と、を含む貨物管理システムを用いて前記貨物の輸送状況を管理するための貨物管理方法であって、
前記業務支援データを前記蓄積手段に蓄積し、
前記管理手段により、前記蓄積手段から前記業務支援データを取得して、該業務支援データと紐付けて貨物管理データを生成し、前記管理端末から、前記管理手段に対して前記貨物管理データの管理に係る情報を入出力することで、前記貨物管理データの管理を行い、
前記携帯端末により、前記貨物の写真を撮影し、撮影した写真を前記業務支援データと紐付けて前記貨物の写真データとして前記ネットワークを介して前記管理手段に格納して、前記写真データを前記貨物管理データに含めることを特徴とする貨物管理方法。
【手続補正２】
【補正対象書類名】明細書
【補正対象項目名】発明の名称
【補正方法】変更
【補正の内容】
【発明の名称】海運貨物管理システム及び海運貨物管理方法、並びに、貨物管理システム及び貨物管理方法
【手続補正３】
【補正対象書類名】明細書
【補正対象項目名】０００１
【補正方法】変更
【補正の内容】
【０００１】
本発明は、海運貨物（貨物）の輸送状況を管理するための、海運貨物（貨物）管理システム及び海運貨物（貨物）管理方法に関するものである。
【手続補正４】
【補正対象書類名】明細書
【補正対象項目名】０００４
【補正方法】変更
【補正の内容】
【０００４】
しかしながら、上述した海運貨物の輸送に係る業者間で使用されるシステムは、取り扱う船荷証券の情報を充実させるために、業者間で船荷証券と紐付く海運貨物の写真のやり取りを行う場合には、例えば、電子メールの添付ファイルとしたりＦＡＸ等を利用する必要があり、手間がかかるものであった。又、輸送情報の共有は、予めシステムに設定されている業者間に限定されるため、例えば、海運貨物の最終的な荷受人に対して輸送情報を開示するといった要求に、柔軟に対応することが困難であった。
本発明は上記課題に鑑みてなされたものであり、その目的とするところは、海運貨物（貨物）の輸送状況の管理を効率よく行うことにある。
【手続補正５】
【補正対象書類名】明細書
【補正対象項目名】００２３
【補正方法】変更
【補正の内容】
【００２３】
そして、（６）〜（１０）項の海運貨物管理方法は、各々、上記（１）〜（５）項に記載の海運貨物管理システムを用いて実行されることで、上記（１）〜（５）項の海運貨物管理システムに対応する同等の作用を奏するものである。
（１１）貨物の輸送状況を管理するための貨物管理システムであって、
貨物を特定するための情報を含む業務支援データを蓄積する蓄積手段と、
該蓄積手段とネットワークを介してデータ通信を行い、前記蓄積手段から前記業務支援データを取得して、該業務支援データと紐付けて貨物の輸送状況の管理を行うために必要な情報が付加された貨物管理データを生成し、管理するための管理手段と、
前記ネットワークを介して、前記管理手段に対して前記貨物管理データの管理に係る情報を入出力するための管理端末と、
写真を撮影する写真撮影機能部と、撮影した写真を前記業務支援データと紐付けて前記貨物の写真データとして前記ネットワークを介して前記管理手段へ格納するための写真データ格納機能部とを有する携帯端末とを含み、
前記貨物管理データには、前記業務支援データと紐付く前記写真データが含まれることを特徴とする貨物管理システム（請求項１１）。
（１２）貨物を特定するための情報を含む業務支援データを蓄積する蓄積手段と、
該蓄積手段とネットワークを介してデータ通信を行い、前記蓄積手段から前記業務支援データを取得して、該業務支援データと紐付けて貨物の輸送状況の管理を行うために必要な情報が付加された貨物管理データを生成し、管理するための管理手段と、
前記ネットワークを介して、前記管理手段に対して前記貨物管理データの管理に係る情報を入出力するための管理端末と、
写真を撮影する写真撮影機能部と、撮影した写真を前記業務支援データと紐付けて前記貨物の写真データとして前記ネットワークを介して前記管理手段へ格納するための写真データ格納機能部とを有する携帯端末と、を含む貨物管理システムを用いて前記貨物の輸送状況を管理するための貨物管理方法であって、
前記業務支援データを前記蓄積手段に蓄積し、
前記管理手段により、前記蓄積手段から前記業務支援データを取得して、該業務支援データと紐付けて貨物管理データを生成し、前記管理端末から、前記管理手段に対して前記貨物管理データの管理に係る情報を入出力することで、前記貨物管理データの管理を行い、
前記携帯端末により、前記貨物の写真を撮影し、撮影した写真を前記業務支援データと紐付けて前記貨物の写真データとして前記ネットワークを介して前記管理手段に格納して、前記写真データを前記貨物管理データに含めることを特徴とする貨物管理方法（請求項１２）。
（１１）〜（１２）項の貨物管理システム及び貨物管理方法によれば、貨物の輸送状況の管理を効率よく行うことが可能になる。
【手続補正６】
【補正対象書類名】明細書
【補正対象項目名】００２４
【補正方法】変更
【補正の内容】
【００２４】
本発明は上記のような構成であるため、海運貨物（貨物）の輸送状況の管理を効率よく行うことが可能となる。
【手続補正７】
【補正対象書類名】明細書
【補正対象項目名】００２６
【補正方法】変更
【補正の内容】
【００２６】
以下、本発明を実施するための形態を、添付図面に基づき説明する。なお、図面の全体にわたって、同一部分は同一符号で示している。
図１は、本発明の実施の形態に係る海運貨物管理システム１０（貨物管理システム）の構成の一例を、概略的に示している。図示のように、海運貨物管理システム１０は、管理手段１２、蓄積手段２０、メールサーバ２２、ファイルサーバ２４、管理端末２６、及び、携帯端末３０を含んでいる。管理手段１２は、管理サーバ１４、中継サーバ１６、ウェブサーバ１８を含んでおり、これらの間は、専用ネットワークＰＮ１により接続されていると共に、ウェブサーバ１８と、管理サーバ１４及び中継サーバ１６との間に、ファイヤウォール３２が構築されている。
【手続補正８】
【補正対象書類名】明細書
【補正対象項目名】００２７
【補正方法】変更
【補正の内容】
【００２７】
管理サーバ１４は、専用ネットワークＰＮ３を介して、管理端末２６（図１の例では、３台の管理端末２６ａ、２６ｂ、２６ｃ）と接続されており、中継サーバ１６は、専用ネットワークＰＮ２を介して、蓄積手段２０、メールサーバ２２、ファイルサーバ２４と接続されている。又、ウェブサーバ１８は、汎用ネットワークＧＮを介して、携帯端末３０（図１の例では、２台の携帯端末３０ａ、３０ｂ）と、汎用ネットワークＧＮに接続可能な任意の外部端末２８（図１の例では、２台の外部端末２８ａ、２８ｂ）とに接続されている。ここで、専用ネットワークＰＮ１、ＰＮ２、ＰＮ３は、社内ＬＡＮ等で構築される内部ネットワーク（ネットワーク）であり、汎用ネットワークＧＮは、インターネット等の外部ネットワーク（ネットワーク）である。
【手続補正９】
【補正対象書類名】明細書
【補正対象項目名】００５７
【補正方法】変更
【補正の内容】
【００５７】
１０：海運貨物管理システム（貨物管理システム）、１２：管理手段、１４：管理サーバ、１６：中継サーバ、１８：ウェブサーバ、２０：蓄積手段、２２：メールサーバ、２４：ファイルサーバ、２６（２６ａ、２６ｂ、２６ｃ）：管理端末、２８（２８ａ、２８ｂ、２８ｃ）：外部端末、３０（３０ａ、３０ｂ）：携帯端末、３４：管理ユーザ、３６（３６ａ、３６ｂ、３６ｃ）：外部ユーザ、４０：ユーザデータ保持機能部、４２：データ出力機能部、４４：外部ユーザ追加機能部、４６：出力内容制限機能部、４８：管理データ登録機能部、５０：写真撮影機能部、５２：写真データ格納機能部、ＰＮ１、ＰＮ２、ＰＮ３：専用ネットワーク（ネットワーク）、ＧＮ：汎用ネットワーク（ネットワーク）